(57)【要約】【課題】コンテンツの再生時間を自動的に調整する技術を提供する。【解決手段】  放送開始時刻ｔ０から再生終了指定時刻ｔ３までコンテンツの再生が一度も停止せずにコンテンツの再生が行われた場合には、コンテンツ再生時間と実時間とは一致するため、特に問題がなく視聴を行うことができる。一方、時刻ｔ１においてコンテンツの再生を一時停止した場合に、その後の時刻ｔ２において一時停止を解消したと仮定すると、以下の式により、時刻ｔ２からの再生速度を決めることが出来る。残り放送時間＝指定時刻−一時停止した時刻＝ｔ３−ｔ１、残り時間＝指定時刻−現在時刻＝ｔ３−ｔ２、再生速度ｒ＝残り放送時間／残り時間＝（ｔ３−ｔ１）／（ｔ３−ｔ１）。【選択図】  図１
2006262045.tif 000002
【特許請求の範囲】
【請求項１】
コンテンツを取得するコンテンツ取得手段と、
コンテンツを再生するコンテンツ再生手段と、
コンテンツの再生に関する時刻を計時するタイマ手段と、
コンテンツの再生を一時停止した時刻ｔ１と、該一時停止を解除した解除時刻ｔ２と、コンテンツの終了時刻ｔ３と、に基づいて、コンテンツの再生速度を、再生速度ｒ＝コンテンツの残り時間／残り時間＝（ｔ３−ｔ１）／（ｔ３−ｔ２）を目安として決定する処理部と
を有することを特徴とするコンテンツ再生装置。
【請求項２】
前記コンテンツの終了時刻ｔ３が、番組情報に基づいて取得された時刻であることを特徴とする請求項１に記載のコンテンツ再生装置。
【請求項３】
前記コンテンツの終了時刻ｔ３が、コンテンツ長に基づいて取得された時刻であることを特徴とする請求項１に記載のコンテンツ再生装置。
【請求項４】
コンテンツを取得するコンテンツ取得手段と、
コンテンツを再生するコンテンツ再生手段と、
コンテンツの再生に関する時刻を計時するタイマ手段と、
コンテンツの再生を一時停止した時刻ｔ１０１と、該一時停止を解除した解除時刻ｔ１０２と、操作部から指定されたコンテンツの再生終了時刻ｔ１０３と、に基づいて、コンテンツの再生速度を、再生速度ｒ＝コンテンツの残り時間／残り時間＝（ｔ１０３−ｔ１０１）／（ｔ１０３−ｔ１０２）を目安として決定する処理部と
を有することを特徴とするコンテンツ再生装置。
【請求項５】
前記コンテンツの最高再生速度の限界値として第１のしきい値を記憶能又は指定可能であり、前記第１のしきい値をよりも大きい速度では再生しないように制御する制御部を有することを特徴とする請求項１から４までのいずれか１項に記載のコンテンツ再生装置。
【請求項６】
前記コンテンツの最低再生速度の限界値として第２のしきい値を記憶能又は指定可能であり、前記第２のしきい値よりも小さい速度では再生しないように制御する制御部を有することを特徴とする請求項１から５までのいずれか１項に記載のコンテンツ再生装置。
【請求項７】
再生速度の最大値及び最小値の少なくとも一方を指定可能であり、該最大値を越えた場合又は最小値を下回った場合になるときに、その旨を報知し該速度を超えた再生を行うか否かの選択を促す報知・選択手段を備えたことを特徴とする請求項１から６までのいずれか１項に記載のコンテンツ再生装置。
【請求項８】
コンテンツの再生が一時停止状態になった第１の時間ｔ１を記憶するステップと、
該一時停止状態が解除された第２の時間ｔ２を記憶するステップと、
コンテンツの再生を終了する予定時刻ｔ３とした場合に、再生速度を以下の式に基づいて求めるステップと
を有することを特徴とするコンテンツの再生方法。
コンテンツの再生速度＝（ｔ３−ｔ１）／（ｔ３−ｔ２）
【請求項９】
コンピュータに請求項８に記載のステップを実行させるためのプログラム。
【請求項１０】
コンテンツを取得するコンテンツ取得手段と、
コンテンツを再生するコンテンツ再生手段と、
コンテンツの再生に関する時刻を計時するタイマ手段と、
コンテンツの再生を一時停止した後に、該一時停止を解除した後のコンテンツの再生速度を、コンテンツ時間の残り時間／実時間の残り時間を目安として決定する処理部と
を有することを特徴とするコンテンツ再生装置。
【発明の詳細な説明】
【技術分野】
【０００１】
本発明は、動画・音声などの情報を含むコンテンツの再生技術に関する。
【背景技術】
【０００２】
近年、動画・音声などの情報を含むコンテンツが提供される機会が多くなってきている。これらのコンテンツの再生に関しては、種々のバリエーションが提案されている。特に、据え置き型のハードディスクレコーダに加えて、携帯型のモバイル機器においても、ＴＶ放送を含むコンテンツの視聴（再生）が可能になってきている。
【０００３】
例えば、プレイバック再生からライブへのシームレスな切り替えについては特許文献１に記載されており、携帯端末によるタイムシフトに関しては特許文献２に記載されている。
【０００４】
【特許文献１】特開平９−２４７６２９号公報
【特許文献２】特開２００３−１１１００４号公報
【発明の開示】
【発明が解決しようとする課題】
【０００５】
携帯型のモバイル機器（以下、「携帯端末」と称する。）においてＴＶ放送を含むコンテンツの視聴（再生）を行う場合に、ユーザが定時まで、例えば番組終了時間や電車に乗っている間、特に、ある番組を決められた時間内に見てしまいたいケースなどが考えられる。特に、携帯端末によりコンテンツを視聴する際に、例えば、乗り物に乗っている間にコンテンツの視聴を終えてしまいたい場合が多い。
【０００６】
何らかの理由により再生が遅れている場合には、一般的な再生速度よりも速い速度で再生を行ういわゆる早見機能により、速くコンテンツを再生させて見るのが一般的な方法である。
【０００７】
しかしながら、このような場合には、遅れ気味のコンテンツの再生に関して再生速度を速めることはできるが、視聴時間を考慮したうえで、適切な再生速度を設定することにより遅れをうまく調整する手段がなかった。
【０００８】
本発明は、コンテンツの再生時間を自動的に調整する技術を提供することを目的とする。
【課題を解決するための手段】
【０００９】
本発明に係るコンテンツ再生技術は、スピード調整とライブ復帰時間とを連動させることで、動画及び音声情報の視聴中に一時停止をしたときに、そのコンテンツに合わせて早見再生を行い、シームレスにライブ放送に切り替えることを特徴とする。
【００１０】
本発明の一観点によれば、コンテンツを取得するコンテンツ取得手段と、コンテンツを再生するコンテンツ再生手段と、コンテンツの再生に関する時刻を計時するタイマ手段と、コンテンツの再生を一時停止した時刻ｔ１と、該一時停止を解除した解除時刻ｔ２と、コンテンツの終了時刻ｔ３と、に基づいて、コンテンツの再生速度を、再生速度ｒ＝コンテンツの残り時間／残り時間＝（ｔ３−ｔ１）／（ｔ３−ｔ２）を目安として決定する処理部とを有することを特徴とするコンテンツ再生装置が提供される。
【００１１】
これにより、コンテンツの再生を一時停止した時刻ｔ１と、該一時停止を解除した解除時刻ｔ２と、コンテンツの終了時刻ｔ３と、のみから、再生途中の他の条件に関係せずに、簡単に適切な再生速度を求めることができる。
【００１２】
また、コンテンツを取得するコンテンツ取得手段と、コンテンツを再生するコンテンツ再生手段と、コンテンツの再生に関する時刻を計時するタイマ手段と、コンテンツの再生を一時停止した時刻ｔ１０１と、該一時停止を解除した解除時刻ｔ１０２と、操作部から指定されたコンテンツの再生終了時刻ｔ１０３と、に基づいて、コンテンツの再生速度を、再生速度ｒ＝コンテンツの残り時間／残り時間＝（ｔ１０３−ｔ１０１）／（ｔ１０３−ｔ１０２）を目安として決定する処理部とを有することを特徴とするコンテンツ再生装置が提供される。
【発明の効果】
【００１３】
コンテンツ再生装置における再生速度を自動的に調整し、ユーザ操作の簡易化と、コンテンツの再生速度の適正化を行うことができるという利点がある。予め視聴終了時刻を指定するだけで、それに最適な再生スピードでコンテンツを再生する。
【発明を実施するための最良の形態】
【００１４】
本実施の一形態によるコンテンツ再生技術について、以下に図面を参照しつつ説明を行う。図１は、本発明の一実施の形態によるコンテンツ再生技術の原理を示す図である。図１（Ａ）は、ライブ時又は録画済みコンテンツの再生時における、コンテンツ再生速度の演算方法を示す図であり、コンテンツを通常の方法で再生した場合の再生期間の詳細と（上の軸のコンテンツ時間）と、本実施の形態によるコンテンツ再生方法によりコンテンツを再生した場合の詳細（下の軸の実時間）と、を示す図である。コンテンツの再生に関しては、例えば、ライブ時と録画コンテンツを再生する場合とで、コンテンツの再生に関しては実質的には同じように考えることができる。
【００１５】
例えば、ライブ放送を再生している場合には、ユーザが視聴を完了したい指定時刻、即ち再生終了指定時刻として、例えばＥＰＧから取得した番組の終了時刻や、電車到着時刻等に設定すれば良い。録画コンテンツの再生時には、コンテンツの再生放送時間を再生開始時刻に加算した時間を再生終了指定時刻として設定する。いずれの場合においても、放送開始時刻ｔ０から再生終了指定時刻ｔ３までの間に再生と、それに基づく視聴とが実質的にちょうど終了するように、再生速度を決める方法を示している。
【００１６】
図１（Ａ）に示す状態において、放送開始時刻ｔ０から再生終了指定時刻ｔ３までコンテンツの再生が一度も停止せずにコンテンツの再生が行われた場合には、コンテンツ再生時間と実時間とは一致するため、特に問題がなく視聴を行うことができる。
【００１７】
一方、時刻ｔ１においてコンテンツの再生を一時停止した場合に、その後の時刻ｔ２において一時停止を解消したと仮定すると、以下の式により、時刻ｔ２からの再生速度を決めることが出来る。
【００１８】
残り放送時間＝指定時刻−一時停止した時刻＝ｔ３−ｔ１  （１）
残り時間＝指定時刻−現在時刻＝ｔ３−ｔ２  （２）
再生速度ｒ＝残り放送時間／残り時間＝（ｔ３−ｔ１）／（ｔ３−ｔ２）  （３）
【００１９】
図１（Ｂ）に示すように、一時停止が２回（又はそれ以上）行われた場合には、再生速度は、直近の一時停止における一時停止した時刻と一時停止を解除した時刻とにより決められる。例えば、図においては、ｔ１１とｔ１２で第１回目の一時停止と一時停止解除が行われ、ｔ１３とｔ１４で第２回目であるかつ最後の一時停止と一時停止解除が行われた場合には、再生速度は、以下の式により求まる。
【００２０】
再生速度ｒ’＝（ｔ１５−ｔ１４）／（ｔ１５−ｔ１３）  （４）
【００２１】
すなわち、前の一時停止時刻ｔ１１と一時停止解除時刻ｔ１２とは、その時点での再生速度を決めるために用いられるが、その後の一時停止及び一時停止解除の後における再生速度の決定には利用されない。すなわち、直近の一時停止とその解除に関する時刻のみがその後の再生速度に関連し、その以前に、一時停止があったか否か、どの時刻に一時停止や再生開始などが行われたかに関しては、コンテンツ時間が正しく計時されている限りは関係がない。尚、コンテンツ時間は、コンテンツ全体に対する残りコンテンツの割合により決められる。例えば、ＣＭで３０秒進んだ場合には、コンテンツ時間を３０秒進めた時間が一時停止した時刻になる。
【００２２】
尚、再生終了時刻に近づいた状態で一時停止が行われた場合には、再生速度が速くなりすぎて視聴しにくくなるため、ある値よりも再生速度が高くなりすぎた場合には、後述するように再生しないようにすることも可能である。
【００２３】
図２は、本実施の形態による動画再生装置の一構成例を示す機能ブロック図である。図２に示すように、本実施の形態による動画再生装置Ａは、全体を制御する処理を行う処理部（ＣＰＵ）１と、放送を受信するためのアンテナとチューナとを備えた放送受信手段３と、外部記憶媒体又は内蔵ＨＤＤなどに記録されている録画済みのコンテンツ再生手段５と、放送コンテンツ又は録画済みコンテンツの再生速度を調整し、調整したコンテンツを一時的に記憶する早見再生用メモリ２１と、早見再生用メモリに記憶された調整済みコンテンツを再生する早見再生手段１７と、ユーザからの操作を受け付けるＵＩ入力手段７と、時間を測定する時間測定手段（タイマ）１５と、早見再生手段１７に基づくコンテンツを時間に合わせて表示する表示手段１１と、を有している。
【００２４】
図３は、本実施の形態による動画再生装置における動画再生処理の流れを示すフローチャート図である。簡単のため、図１（Ａ）に示す状態を例にして説明する。適宜、図２を参照する。まず、処理を開始し、ステップＳ１において、一時停止状態になった時間ｔ１を時間計測手段により、最後の（直近の）一時停止になった時間ｔ１を測定し、例えば早見再生メモリ２１に記憶する。次に、ステップＳ２において、一時停止が解除された時間ｔ２を同じく早見再生メモリ２１に記録する。次いで、ステップＳ３において、再生速度ｒを、例えば、上記式（３）に基づいて求める。次いで、ステップＳ４において、再生速度ｒが、あるしきい値ｒｔｈ２のよりも小さいか否かを判定する。ｒがｒｔｈ２よりも小さい場合には（Ｙ）、ｒ倍速でコンテンツの再生を行う。ｒがｒｔｈ２よりも大きい場合には（Ｎ）、再生を行わない。この場合に、ユーザにその旨を報知し、ユーザの判断を待つようにしても良い。次いで、処理を終了する（ｅｎｄ）。求めた再生速度があるしきい値よりも十分真に小さすぎる場合には、一般的な再生速度に戻して再生するように制御しても良い。この判断を、ステップＳ４において行っても良い。
【００２５】
このようにして、再生の一時停止及び一時停止解除があった場合に、上記の式に基づく計算を行い、ｒ倍速で再生を行うように制御する。
【００２６】
以上、本実施の形態によるコンテンツ再生装置によれば、ユーザは、コンテンツの再生に関して予め決められた期間内にちょうどコンテンツの再生を行わせることができる。従って、本実施の形態による動画再生装置においては、コンテンツ再生装置における再生速度を自動的に調整し、ユーザ操作の簡易化と、コンテンツの再生速度の適正化を行うことができるという利点がある。
【００２７】
次に、本実施の形態の変形例によるコンテンツ再生装置について簡単に説明する。コンテンツの再生が一時停止され、その後に一時停止解除が行われた後に、図２に示すＵＩ入力手段７により、ユーザがコンテンツの終了時刻を設定することもできる。この場合には、図１の再生終了指定時刻ｔ１０３をユーザが指定したことになる。コンテンツ取得手段と、コンテンツ再生手段と、コンテンツ手段と、タイマ手段と、コンテンツの再生を一時停止した時刻ｔ１０１と、一時停止を解除した解除時刻ｔ１０２と、指定されたコンテンツの再生終了時刻ｔ１０３と、に基づいて、コンテンツの再生速度を、再生速度ｒ＝コンテンツの残り時間／残り時間＝（ｔ１０３−ｔ１０１）／（ｔ１０３−ｔ１０２）を目安として決定することもできるこのようにして決定されたコンテンツ再生速度を計算し、計算した再生速度によりコンテンツを再生するように処理を行う。
【００２８】
尚、本実施の形態によるコンテンツ再生装置は、一般的な据え置き型の記録再生装置、携帯端末など種々の機器を含む。
【産業上の利用可能性】
【００２９】
本発明は、コンテンツを再生する種々の電子機器に利用可能である。
【図面の簡単な説明】
【００３０】
【図１】本発明の一実施の形態によるコンテンツ再生技術の原理を示す図であり、図１（Ａ）は、一時停止及び一時停止解除が１セットの場合、図１（Ｂ）は、一時停止及び一時停止解除が２セットの場合の例を示す図である。
【図２】本実施の形態による動画再生装置の一構成例を示す機能ブロック図である。
【図３】本実施の形態による動画再生装置における動画再生処理の流れを示すフローチャート図である。
【符号の説明】
【００３１】
Ａ‥動画再生装置、１‥処理部（ＣＰＵ）、３‥放送受信手段、５‥コンテンツ再生手段、７‥ＵＩ入力手段、１１‥表示手段、１５‥時間測定手段（タイマ）、１７‥早見再生手段、２１‥早見再生用メモリ。
【図１】
2006262045.tif 000003
【図２】
2006262045.tif 000004
【図３】
2006262045.tif 000005